(57)【要約】【課題】冷蔵室の開口部幅が異なる各種の冷蔵庫に簡単かつ確実に取付けることができ、また、通気口の形成が容易で開口面積の調整も可能な冷蔵庫用カーテンを得る。【解決手段】柔軟で透視性を有するシートで縦長の帯状に形成された複数の独立するカーテン部片２と、これらのカーテン部片２を冷蔵庫１０の開口部１１の上端部に、開口部幅に合わせて互いの位置関係を調整した状態で並列に吊り下げるための吊下手段３とを有し、上記各カーテン部片２の左右両側辺４ａ，４ａがそれぞれ波形に形成されていて、隣接するカーテン部片２，２の側辺４ａ，４ａ間に上記波形で区画された通気口５を有する。【選択図】        図２
2004271128.tif 000002
【特許請求の範囲】
【請求項１】
冷蔵庫における冷蔵室の前面の開口部を覆うカーテンであって、柔軟で透視性を有するシートで縦長の帯状に形成された複数の独立するカーテン部片と、これらのカーテン部片を上記開口部の上端部に、開口部幅に合わせて互いの位置関係を調整した状態で並列に吊り下げるための吊下手段とを有し、
上記各カーテン部片の左右の側辺のうち少なくとも一方の側辺が波形に形成されていて、隣接するカーテン部片の側辺間に上記波形で区画された通気口を有する、
ことを特徴とする冷蔵庫用カーテン。
【請求項２】
請求項１に記載の冷蔵庫用カーテンにおいて、上記各カーテン部片の左右両側辺がそれぞれ波付けされていて、隣接するカーテン部片が、波の山と山及び谷と谷同士を対向させて配設されていることを特徴とするもの。
【請求項３】
請求項１に記載の冷蔵庫用カーテンにおいて、上記各カーテン部片の一方の側辺のみが波付けされていて、隣接するカーテン部片が、波付けされた側辺と波付けされていない側辺とを対向させて配設されていることを特徴とするもの。
【請求項４】
請求項１に記載の冷蔵庫用カーテンにおいて、該カーテンが、左右両側辺を波付けされたカーテン部片と一方の側辺のみを波付けされたカーテン部片の両方を含むことを特徴とするもの。
【発明の詳細な説明】
【０００１】
【発明の属する技術分野】
本発明は、冷蔵庫における冷蔵室の前面の開口部に取付けて、冷蔵室の扉を開けた時に該冷蔵室内の冷気が逃げないようにするための冷蔵庫用カーテンに関するものである。
【０００２】
【従来の技術】
冷蔵庫における冷蔵室の前面の扉を開けた際に内部の冷気が逃げないようにするために、上記冷蔵室の開口部に取付けて該開口部を覆うようにした冷蔵庫用カーテンは、従来から既に公知である。このようなカーテンとしては、一定幅を有する一枚の透明なシートに下端部側から上端部近くまで複数のスリットを入れることにより、複数の短冊状をしたカーテン部片が一体に連なった暖簾の形に形成したものが一般的である。
【０００３】
しかしながら、冷蔵庫の大きさや形態は様々であって、冷蔵室の開口部の横幅も冷蔵庫の大きさやメーカーによって異なっているため、上述のような一定幅を有するカーテンがぴったりと取付けられることは稀であり、大き過ぎたり小さ過ぎたりするケースが殆どである。しかも、このように複数のカーテン部片が一体に連なった暖簾タイプのカーテンでは、一部のカーテン部片が汚れたり破損したりした場合には、カーテン全体を交換しなければならず、不経済であるという問題もあった。
【０００４】
また、冷蔵庫は、扉の裏側にも食品の収容スペースが設けられているのが一般的であり、この食品収容スペースにも冷蔵室内の冷気を行き渡らせることが必要である。このため、例えば特許文献１には、カーテンの一部に複数の通気口を設け、冷蔵室内の冷気をこの通気口を通じて扉の裏側の上記収容スペースに送るようにしたものが記載されている。
【０００５】
しかし、従来のこの種のカーテンは、上記通気口が各カーテン部片の面内に打ち抜き加工によって設けられているため、その加工に特別な穿孔機械が必要であり、加工が面倒で手数もかかる。しかも、一旦開けた通気口は大きさを調整することが困難であるため、冷蔵室の大きさ等に応じて冷気の流通量をコントロールことができす、通気口が大き過ぎて扉を開けた際に多くの冷気が逃げてしまったり、逆に、通気口が小さ過ぎて上記収容スペースに冷気が十分に行き渡らないといったような問題が生じ易い。
【０００６】
【特許文献１】
特開２００１−２５５０５４号公報
【０００７】
【発明が解決しようとする課題】
本発明の技術的課題は、冷蔵室の開口部幅が異なる各種の冷蔵庫に簡単かつ確実に取付けることができ、また、通気口の形成が容易で開口面積の調整も可能な冷蔵庫用カーテンを提供することにある。
【０００８】
【課題を解決するための手段】
上記課題を解決するため、本発明の冷蔵庫用カーテンは、柔軟で透視性を有するシートで縦長の帯状に形成された複数の独立するカーテン部片と、これらのカーテン部片を上記開口部の上端部に、開口部幅に合わせて互いの位置関係を調整した状態で並列に吊り下げるための吊下手段とを有し、上記各カーテン部片の左右の側辺のうち少なくとも一方の側辺が波形に形成されていて、隣接するカーテン部片の側辺間に上記波形で区画された通気口を有することを特徴とするものである。
【０００９】
上記構成を有する冷蔵庫用カーテンは、独立する複数のカーテン部片を、その上端部に取り付けた両面接着テープ等の吊下手段で冷蔵室の前面に並列状態に吊り下げることにより、冷蔵庫内に取付けられる。このとき、上記各カーテン部片は、冷蔵室の開口部幅に合わせて互いの位置関係を調整することにより、その開口部幅に適合した配置で取付けられ、取付け後には、隣接するカーテン部片の波形をなす側辺の間に上記波形によって通気口が区画、形成され、この通気口を通じて扉の裏側の食品収容スペースに冷気が供給される。
【００１０】
かくして本発明のカーテンによれば、各カーテン部片が互いに独立しているから、冷蔵室の開口部幅に合わせて必要数のカーテン部片を用意し、互いの位置関係を調整しながらそれらを並べて取付けることにより、これらのカーテン部片を開口部に適合した配置で簡単かつ確実に取付けることができる。また、上記各カーテン部片の側辺が波形をしているから、これらのカーテン部片を所定の位置に取付けるだけで、隣接するカーテン部片間に上記波形で区画される通気口を容易に形成することができる。しかも、上記カーテン部片の取付けに際し、冷蔵室の開口部幅との関係で隣接するカーテン部片の端部同士が波の山の位置で若干重なり合った場合でも、波の谷の位置に形成される孔状の隙間によって上記通気口が確実に形成されることになる。
【００１１】
上記通気口の大きさは、カーテン部片の位置関係を調整することによって大小に調整することが可能であり、また、複数のカーテン部片を部分的に異なるピッチで配置することにより、上記通気口の大きさを場所によって違えることも可能である。このため、複数の通気口を冷蔵室の開口部に合わせて最適な大きさ及び位置関係に配置することができる。
【００１２】
また、いずれかのカーテン部片が汚れたり破損したりした場合には、そのカーテン部片だけを取り替えれば済むため、経済的である。
【００１３】
本発明の一つの具体的な構成態様によれば、上記各カーテン部片の左右両側辺がそれぞれ波付けされていて、隣接するカーテン部片が、波の山と山及び谷と谷同士を対向させて配設されている。
【００１４】
本発明の他の具体的な構成態様によれば、上記各カーテン部片の一方の側辺のみが波付けされていて、隣接するカーテン部片が、波付けされた側辺と波付けされていない側辺とを対向させて配設されている。
【００１５】
本発明の更に他の具体的な構成態様によれば、上記カーテンが、左右両側辺を波付けされたカーテン部片と一方の側辺のみを波付けされたカーテン部片の両方を含んでいる。
【００１６】
【発明の実施の形態】
図１及び図２は本発明に係る冷蔵庫用カーテンの第１実施例を、冷蔵庫１０における冷蔵室の前面の開口部１１に取付けた状態で示すものである。この冷蔵庫用カーテン１Ａは、複数の独立するカーテン部片２からなっていて、これらのカーテン部片２を、吊下手段３により、上記冷蔵室の開口部１１の上端部に並列状態に吊り下げて形成したものである。
【００１７】
上記カーテン部片２は、柔軟で透視性を有するシート、例えばポリエチレンなどのオレフィン系樹脂シートによって縦長の帯状に形成されると共に、左右両側辺４ａ，４ａが波形に形成されており、これらのカーテン部片２を上記開口部１１の上端部に、その開口部幅Ｗに合わせて互いの位置関係を調整した状態で並列に吊下げることにより、隣接するカーテン部片２，２の側辺４ａ，４ａ間に、それらの側辺の波形形状によって通気口５が形成され、この通気口５を通じて冷蔵室内の冷気が扉１２の内側の食品収容スペース１３に供給されるようになっている。
【００１８】
図示した実施例では、上記カーテン部片２の左右両側辺４ａ，４ａが、その全長にわたって連続する正弦波状に波付けされると共に、これら両側辺４ａ，４ａの波の波形、即ち波のピッチＰ及び高さＨが、互いに同一大きさで左右対称をなすように形成されており、これによって該カーテン部片２が、全体として左右対称形をなしている。また、各カーテン部片同士も互いに同形をなしている。
【００１９】
上記各カーテン部片２は透視性を有しているが、これは、冷蔵庫１０の扉１２を開けた際に、カーテン１を通して冷蔵室の内部を透視できるようにするためである。なお、この場合の「透視性」とは、完全に透明の場合だけでなく、冷蔵室内を透視可能な程度の半透明も含まれる。
【００２０】
上記カーテン部片２の縦方向長さは、冷蔵室の開口部１１の高さと同程度かそれよりより僅かに小さい位が好ましく、例えば、それを開口部１１に取付けたとき、図２に示すように、各カーテン部片２の下端が開口部１１の下端部から若干の距離（例えば１〜２ｃｍ位）離れる程度であることが望ましい。具体的な寸法は冷蔵庫１０の大きさによっても異なるが、一般的な大きさの家庭用冷蔵庫の場合には、約７５０ｍｍ前後である。
【００２１】
一方、上記カーテン部片２の横幅は、それが小さいほどサイズの異なる冷蔵庫への対応が容易で、食品の出し入れも行い易いが、使用するカーテン部片２の数が多くなるため、それらの間に形成される通気口５の総開口面積も必要以上に大きくなり、冷気の流出量が多くなり易い。このため、４〜５枚程度のカーテン部片２でカーテン１を形成するのが望ましく、この場合の１枚のカーテン部片２の好ましい横幅は、波形の山と山との間の最大幅が１００〜１５０程度であり、より好ましくは１３０ｍｍ程度である。しかし、これ以外のサイズであっても良いことはもちろんである。
【００２２】
また、上記吊下手段３は、各カーテン部片２の上端部を上記冷蔵室の開口部１１の上端の口縁部分に取付けるためのもので、図示した例では両面接着テープが使用され、この接着テープが、各カーテン部片２の裏面上端部に予め取付けられている。しかし、この両面接着テープの代わりに、通常の片面粘着テープや接着剤等、冷蔵庫の扉を閉めた際に冷蔵室の密閉の妨げにならないもので、且つ扉１２を開けた際にカーテン部片２が簡単に脱落しない程度の粘着性を有するものを使用することもできる。あるいは、１本の紐に各カーテン部片２の上端部を取付け、この紐を冷蔵庫の開口部上端に張設すると共に、各カーテン部片をこの紐に沿って位置調整したあと固定するように構成することもできる。
【００２３】
かくして上記カーテン部片２は、その上端部に取付けた上記吊下手段３で冷蔵室の前面の開口部１１に並列状態に吊り下げられるが、各カーテン部片２が互いに独立しているから、上記開口部１１幅に合わせて必要数のカーテン部片２を用意し、互いの位置関係を調整しながらそれらを並べて取付けることにより、これらのカーテン部片２を開口部１１に適合した配置で簡単かつ確実に取付けることができる。
【００２４】
また、上記各カーテン部片２の側辺４ａ，４ａが波形をしているから、これらのカーテン部片２を所定の位置に取付けるだけで、隣接するカーテン部片２，２間に上記波形で区画される通気口５を容易に形成することができる。この場合、図２に示すように、隣接するカーテン部片２，２を互いに離れた位置関係に配置した場合には、それらの間に両側縁が波形をした連続する溝状の通気口５が形成され、隣接するカーテン部片２，２を波形の山の位置で互いに接触させるか、あるいは図３に示す第２実施例のカーテン１Ｂのように、波形の山の位置で若干重なり合った位置関係に配置した場合には、それらの間に、波形の谷と谷とで囲まれた孔状の通気口５が断続的に複数形成されることになる。このことは、換言すれば、上記各カーテン部片２の取付けに際し、冷蔵室の開口部幅Ｗとの関係で各カーテン部片２の配置が制約を受け、隣接するカーテン部片２，２の端部同士が波形の山の位置で若干重なり合ったとしても、波形の谷の位置に形成される孔状の隙間によって上記通気口５が確実に形成され得ることを意味するものである。
【００２５】
上記通気口５の大きさ即ち開口面積は、カーテン部片２の位置関係を調整することによって大小に調整することが可能であり、図４に示す第３実施例のカーテン１Ｃのように、複数のカーテン部片２を部分的に異なるピッチで配置することにより、上記通気口５の大きさを場所によって違えることも可能である。これにより通気口５を、冷蔵室の開口部１１に合わせて最適な大きさ及び位置に配置することができる。
【００２６】
さらに、上記各カーテン部片２はそれぞれ独立していて、全長を通じて自由度があるため、これらのカーテン部片２が冷蔵室内、特に上段の棚への食品の出し入れの邪魔になることがなく、スムーズに行える。また、いずれかのカーテン部片２が汚れたり破損したりした場合には、そのカーテン部片２だけを取り替えれば済むため経済的である。
【００２７】
上記各実施例では、各カーテン部片２の両側辺４ａ，４ａの波形を正弦波状としているが、これ以外の波形、例えば、矩形波状や三角波状等の任意の波形とすることもできる。また、左右両側辺４ａ，４ａの波形は必ずしも同一かつ対称である必要はなく、非対称形であっても、互いに波形が異なっていても、本発明の課題は解決することができる。
【００２８】
図５は本発明の第４実施例を示すもので、この第４実施例のカーテン１Ｄは、各カーテン部片２ａの一方の側辺４ａのみが波形に形成されていて、他方の側辺４ｂは波付けされることなく直線状に形成されている。そして、隣接するカーテン部片２ａ，２ａが、波付けされた側辺４ａと波付けされていない側辺４ｂとを対向させて配設されることにより、それらの間に通気口５が形成されている。この第４実施例のその他の構成や好ましい変形例等については、上記第１〜第３実施例で説明した場合と実質的に同じである。
【００２９】
図６は本発明の第５実施例を示すもので、この第５実施例のカーテン１Ｅは、両方の側辺４ａ，４ａが波付けされた第１のカーテン部片２と、一方の側辺４ａが波付けされて他方の側辺４ｂが波付けされていない第２のカーテン部片２ａとの、２種類のカーテン部片２，２ａで構成されている。図示したものでは、第２のカーテン部片２ａが両端に配設され、それらの間に第１のカーテン部片２が配設されているが、両カーテン部片２，２ａの混合割合や配置は問わない。この第５実施例のその他の構成や好ましい変形例等については、上記第１〜第３実施例で説明した場合と実質的に同じである。
【００３０】
上記各実施例では、カーテン部片２，２ａの全ての隣接位置に通気口５が形成されているが、少なくとも一部の隣接位置に通気口５を形成し、残りの隣接位置ではカーテン部片２，２ａの側辺４ａ，４ｂを通気口５が形成されない程度に重複させて配置することもできる。即ち、上記カーテン部片２、２ａは、冷蔵室の開口部１１の大きさに適合する配置で、必要な位置に必要な大きさの通気口５が保たれるように配設することができる。
【００３１】
【発明の効果】
以上に詳述したように、本発明の冷蔵庫用カーテンによれば、各カーテン部片が互いに独立しているから、冷蔵室の開口部幅に合わせて必要数のカーテン部片を用意し、互いの位置関係を調整しながらそれらを並べて取付けることにより、これらのカーテン部片を開口部に適合した配置で簡単かつ確実に取付けることができる。また、上記各カーテン部片の側辺が波形をしているから、これらのカーテン部片を所定の位置に取付けるだけで、隣接するカーテン部片間に上記波形で区画される通気口を容易に形成することができる。この場合、上記カーテン部片の取付けに際し、冷蔵室の開口部幅との関係で隣接するカーテン部片の端部同士が波の山の位置で若干重なり合った場合でも、波の谷の位置に形成される孔状の隙間によって上記通気口が確実に形成されることになる。
上記通気口の大きさは、カーテン部片の取付時にそれらの位置関係を調整することによって大小に調整することが可能であり、また、複数のカーテン部片を部分的に異なるピッチで配置することにより、上記通気口の大きさを場所によって違えることも可能である。このため、複数の通気口を冷蔵室の開口部に合わせて最適な大きさ及び位置関係に配置することができる。
また、いずれかのカーテン部片が汚れたり破損したりした場合には、そのカーテン部片だけを取り替えれば済むため、経済的である。
【図面の簡単な説明】
【図１】本発明に係る冷蔵庫用カーテンを冷蔵庫に取付けた状態を示す第１実施例の斜視図である。
【図２】図１の要部正面図である。
【図３】本発明のカーテンの第２実施例を示す正面図である。
【図４】本発明のカーテンの第３実施例を示す正面図である。
【図５】本発明のカーテンの第４実施例を示す正面図である。
【図６】本発明のカーテンの第５実施例を示す正面図である。
【符号の説明】
１      冷蔵庫用カーテン
２，２ａ      カーテン部片
３      吊下手段
４ａ，４ｂ      側辺
５      通気口
１０      冷蔵庫
１１      開口部
【図１】
2004271128.tif 000003
【図２】
2004271128.tif 000004
【図３】
2004271128.tif 000005
【図４】
2004271128.tif 000006
【図５】
2004271128.tif 000007
【図６】
2004271128.tif 000008